(57)【要約】【課題】レーダ波を検出すると動的に周波数を変更するＩＥＥＥ８０２．１１ｈに規定されるＤＦＳ機能によってチャネル変更する際，レーダサーチ処理に要する時間以外に要する時間をできるだけ短くし，迅速にチャネル変更を行う。【解決手段】レーダ波を検出すると動的に周波数を変更するＩＥＥＥ８０２．１１ｈに規定されるＤＦＳ機能を備えるアクセスポイントを含むＢＳＳからなる無線ＬＡＮシステムにおけるアクセスポイントであって，当該アクセスポイントは，ＢＳＳが使用するチャネルに対するレーダ波を検出するレーダ波検出手段とレーダ波が検出された場合，各ＢＳＳの位置関係に基づいて変更先チャネル候補が予め定義されている変更チャネル情報に基づいて変更先チャネルを候補として選択する次チャネル候補選択手段とを備える。【選択図】図３
2011193101.tif 000002
【特許請求の範囲】
【請求項１】
レーダ波を検出すると動的に周波数を変更するＩＥＥＥ８０２．１１ｈに規定されるＤＦＳ機能を備えるアクセスポイントを含むＢＳＳからなる無線ＬＡＮシステムにおけるアクセスポイントであって，
前記ＢＳＳが使用するチャネルに対するレーダ波を検出するレーダ波検出手段と，
レーダ波が検出された場合，変更先チャネル候補が予め定義されている変更チャネル情報に基づいて変更先チャネルを候補として選択する次チャネル候補選択手段と，を備えるアクセスポイント。
【請求項２】
前記無線ＬＡＮシステムは，所定の位置関係にある所定数のＢＳＳからなる無線ＬＡＮシステムであって，
前記変更チャネル情報は，前記所定の位置関係を含む情報に基づいて変更先チャネル候補が予め定義されていることを特徴とする請求項１に記載のアクセスポイント。
【請求項３】
任意のＢＳＳにおいて，前記変更チャネル情報は，当該ＢＳＳに対する電波影響が最も強い他のＢＳＳとの間で，所定チャネル数分隔てて初期チャネルが定義され，
且つ，前記次チャネル候補選択手段による前記変更チャネル情報に基づいたチャネル変更において，それぞれのＢＳＳが同一チャネルとなるまで少なくとも２回のチャネル変更が必要となることを特徴とする請求項１に記載のアクセスポイント。
【発明の詳細な説明】
【技術分野】
【０００１】
本発明はＩＥＥＥ８０２．１１系の無線ＬＡＮシステムにおいて，動的周波数選択機能（ＤＦＳ機能）を考慮したチャネル制御方法に関する。
【背景技術】
【０００２】
近年急速に普及している無線ＬＡＮシステムは，ＩＥＥＥ８０２．１１で標準化されている。中でも周波数５ＧＨｚ帯を使用するシステムに関しては，ＩＥＥＥ８０２．１１ｈで，動的周波数選択機能（以下ＤＦＳ機能と称す）および送信電力制御機能（ＴＰＣ機能）が定義されている。これらの機能は，同一周波数を使用する他のシステム（気象レーダや各種レーダ）との干渉を軽減するためのものであり，無線ＬＡＮシステム側に実装が義務づけられている。
【０００３】
ＤＦＳ機能は，同一周波数を使用する他のシステムのレーダ波を検出すると，使用している周波数を他の空きチャネル周波数へ変更を行うものであるが，その際，ＤＦＳ機能により検出されたレーダ波と同一チャネルでの３０分以内の運用禁止と，レーダの有無情報が予め分かっていないチャネルでの運用開始前６０秒間のレーダサーチが必須となっている。
【０００４】
ところが，ＤＦＳ機能による変更先となるチャネルの決定方法に関しては，規格上の具体的定義がなく，多くの場合，システム独自の実装となっている。例えば特許文献１のようなものがある。
【先行技術文献】
【特許文献】
【０００５】
【特許文献１】特開第２００７−１８１２００号公報
【０００６】
特許文献１は，ＤＦＳ機能によるチャネル変更が必要と判断されたとき，その時の複数の空きチャネルのうち，それらの品質に基づいて新しい使用チャネルを決定するものである。
【発明の概要】
【発明が解決しようとする課題】
【０００７】
しかし，特許文献１のシステムは，ＤＦＳ機能によってチャネル変更する際，アクセスポイント自身が空きチャネルの走査および品質判定を行わなければならず，走査するチャネル数が多い場合には，相応の時間を要することとなる。これは，運用開始前６０秒間のレーダサーチとは別に要する時間である。
【０００８】
前述したようにＤＦＳ機能は，規格により運用開始前６０秒間のレーダサーチ処理が義務づけられており，その間はアクセスポイントとステーションとの間の通信をすることはできない。このような通信不能時間を少しでも短くするには，レーダサーチ処理に要する時間以外に要する時間をできるだけ短くする必要がある。しかし，特許文献１に係る発明は，チャネル変更に比較的多くの時間を要するため，この課題に対する十分な解決策とはいえない。
【課題を解決するための手段】
【０００９】
本願の第１の形態にかかるアクセスポイントは，レーダ波を検出すると動的に周波数を変更するＩＥＥＥ８０２．１１ｈに規定されるＤＦＳ機能を備えるアクセスポイントを含むＢＳＳからなる無線ＬＡＮシステムにおけるアクセスポイントであって，ＢＳＳが使用するチャネルに対するレーダ波を検出するレーダ波検出手段と，レーダ波が検出された場合，変更先チャネル候補が予め定義されている変更チャネル情報に基づいて変更先チャネルを候補として選択する次チャネル候補選択手段とを備える。
【００１０】
より好ましくは，無線ＬＡＮシステムは，所定の位置関係にある所定数のＢＳＳからなる無線ＬＡＮシステムであって，変更チャネル情報は，所定の位置関係を含む情報に基づいて変更先チャネル候補が予め定義されているアクセスポイント。
【００１１】
より好ましくは，任意のＢＳＳにおいて，変更チャネル情報は，当該ＢＳＳに対する電波影響が最も強い他のＢＳＳとの間で，所定チャネル数分隔てて初期チャネルが定義され，且つ，次チャネル候補選択手段による変更チャネル情報に基づいたチャネル変更において，それぞれのＢＳＳが同一チャネルとなるまで少なくとも２回のチャネル変更が必要となるアクセスポイント。
【発明の効果】
【００１２】
本発明によれば，ＤＦＳ機能によるチャネル変更の際，予め定められたチャネル変更テーブルに基づいてチャネルを変更することにより，変更候補のチャネルを即座に決定することができる。さらに，初期チャネルおよび変更候補となるチャネルは，他のＢＳＳとの重複が直ぐには発生しないようテーブル上に定義されていることから，チャネル変更後に他のＢＳＳと干渉する危険性を少なくすることができるという効果も奏する。
【発明を実施するための形態】
【００１３】
以下では図面を参照し，本発明に係る実施例を説明する。なお，各図面において共通する要素には同じ番号を付し，説明は繰り返さない。
［無線ＬＡＮシステムの概要］
【００１４】
図１は本発明に係る無線ＬＡＮシステムの概要図である。アクセスポイント１０１およびこれと通信するステーション１０３，並びにアクセスポイント１２１，およびこれと通信するステーション１２３のセットは，それぞれＢＳＳ（Basic Service Set：基本サービスセット）と呼ばれる。ＢＳＳはＩＥＥＥ８０２．１１で標準化されているインフラストラクチャモードにおけるアクセスポイントとステーションのセットの事であり，図１では２つのＢＳＳであるＢＳＳ０とＢＳＳ１が存在している。
【００１５】
例えば，オフィスなど１つのロケーションにて複数のＢＳＳを運用する場合，通常は，ＢＳＳ同士の電波干渉を避けるため，それぞれのＢＳＳはある程度物理的に距離を置いて配置され，隣接するＢＳＳ同士は離れた周波数帯のチャネルを使用する。
［無線ＬＡＮシステムの全体図］
【００１６】
図２は本発明に係る無線ＬＡＮシステムの全体図である。ＢＳＳ０〜ＢＳＳ１０の合計１１のＢＳＳが１つの直線上で運用されており，それぞれのＢＳＳがアンテナ２０１から発せられるレーダ波の影響下にある。
【００１７】
背景技術でも説明したとおり，アクセスポイントは，自身のＢＳＳが使用するチャネルと干渉するレーダ波を検出した場合は，自身のチャネルを変更しなければならないこととなっている。つまり，ＢＳＳ０〜１０の全てにおいて，レーダ波を検出した場合は，それぞれ使用チャネルを変更しなくてはならない。
［機能ブロック図］
【００１８】
図３は，本発明に係る無線ＬＡＮシステム，特にアクセスポイントが実行する機能のブロック図である。なお，以下で説明する機能は，アクセスポイントが備えるＣＰＵ，ＲＯＭおよびＲＡＭによって実行されるものであるが，専用のハードウェアによって実行されてもよい。このような構成は当業者にとっては自明であるため，図示は省略する。
【００１９】
レーダ波検出手段３０１は，アンテナ２０１などから発せられるレーダ波を検出するものである。レーダ波の検出技術は，従来技術を用いればよいため詳細は説明しない。なお，後に「近傍チャネル」という概念を説明するが，これはＢＳＳ同士のチャネルに限定した概念であり，ＢＳＳとレーダ波とのチャネル関係を示すものではない。
【００２０】
チャネル候補選択手段３０３は，テーブル読込手段３０５および次チャネル読込手段３０７により構成されている。テーブル読込手段３０５は，詳しくは後述するチャネル変更テーブルを読み込み，テーブル上における自ＢＳＳのチャネル位置を認定する。次チャネル読込手段３０７は，当該テーブルにおける自ＢＳＳのチャネル位置の次の位置に対応するチャネルを読み込む。以上の処理によりチャネル候補選択手段３０３は，変更先チャネルを候補として選択する。この時点では，変更先チャネルはあくまで候補であり，実際に運用しない。
なお，テーブル上における選択チャネルの位置は，後述するように明示的にリセットされない限り保持される。
【００２１】
レーダサーチ手段３０９は，候補として選択されたチャネルについて６０秒間のサーチを行い，使用されているかどうかの検出を行う。なお，この処理は，ＤＦＳ機能として必須とされているものである。
【００２２】
判定手段３１１は，サーチした結果に基づいて，チャネルを変更するかどうかを判定し，チャネル設定手段３１３は，チャネルを変更すると判定された場合に，チャネル候補選択手段３０３によって選択されたチャネルをＢＳＳの運用チャネルとして設定する。この時点で実際にＢＳＳのチャネルが変更されることとなる。
【００２３】
選択位置リセット手段３１５は，チャネル候補選択手段３０３によって選択されたチャネル変更テーブル上における選択チャネルの位置をリセットし，初期位置に戻す。
［フローチャート］
【００２４】
図４は，本発明に係る無線ＬＡＮシステム，特にアクセスポイントが実行する処理のフローチャートである。
ステップ４０１にてレーダ波検出手段３０１は，レーダ波の検出を試み，検出されれば処理がステップ４０３に進み，そうでなければ当該検出処理を繰り返す。
【００２５】
ステップ４０３にてチャネル候補選択手段３０３は，変更先となるチャネル候補を選択する。具体的には，ステップ４５１にてテーブル読込手段３０５がチャネル変更テーブルを読み込み，テーブル上における自ＢＳＳの現在のチャネル位置を特定する。次いで，ステップ４５３にて次チャネル読込手段３０７がテーブルに基づいて次のチャネルを読み込む。
【００２６】
ステップ４０５にてレーダサーチ手段３０９は，６０秒間のサーチ処理を行い，その結果を，ステップ４０７にて判定手段３１１が判定する。判定の結果，レーダ波が検出された場合，ステップ４０３に戻り，再度チャネル候補を選択することとなる。なお，この際，テーブル上における選択チャネルの位置は既に保持されている選択位置を基準として次の変更順に対応するチャネルを選択することとなる（詳細は後述する）。一方，レーダ波が検出されなければステップ４０９に進む。
ステップ４０９にてチャネル設定手段３１３は，テーブル上における現在選択されているチャネルをＢＳＳの運用チャネルとして設定する。
ステップ４１１にて選択位置リセット手段３１５は，テーブル上における現在選択されているチャネル位置をリセットする。
［初期チャネル］
【００２７】
図５は，各ＢＳＳが運用するチャネルの初期値である。図から明らかなとおり，各ＢＳＳはそれぞれ異なる初期チャネルで運用を開始する。また，隣接するＢＳＳ同士は大きくチャネルを離していることが特徴である。例えば，隣接するＢＳＳであるＢＳＳ０とＢＳＳ１の初期チャネルは，それぞれ１００と１３６である。
【００２８】
なお，本実施例において，この初期値は，実際のＢＳＳ間の物理的距離に基づいて定義されている。本実施例の場合，各ＢＳＳが同一直線上に配置されていることから，自ら運用するＢＳＳのチャネルとその近傍チャネル（同一チャネルおよびその前後４チャネル）を運用するＢＳＳとの間について，４つのＢＳＳが使用する距離に対応するチャネル分隔てている。例えばＢＳＳ０の１００チャネルに対する近傍チャネルである１０４チャネルは，ＢＳＳ５の初期チャネルであり，間に４つのＢＳＳ分の距離に対応するチャネルの乖離が存在する。
【００２９】
また別の例として，図６に示すように，各ＢＳＳが円周上に配置されている場合は，各ＢＳＳ同士の実際の距離に応じて初期値を定義する。ただし，どのよう配置の場合も距離だけに応じて初期値を定義すればよいのではなく，他のＢＳＳから受ける電波の強度に応じて定義する。この場合，距離に加えて各ＢＳＳの電波出力や遮蔽物の存在なども考慮する。
［チャネル変更テーブル］
【００３０】
図７は，テーブル読込手段３０５が読み込むテーブルであり，レーダ波検出手段３０１がレーダ波を検出した時，各ＢＳＳが運用しているチャネルの次のチャネル候補を選択するためのものである。テーブルを参照すると明らかであるが，本テーブルには，各ＢＳＳが選択すべき次チャネル候補が変更順に予め定義されている。なお，初期チャネルについてすでに説明したように，本テーブルにおける各ＢＳＳの並びは，それぞれのＢＳＳが他のＢＳＳから受ける電波の強度に応じて定義されている。例えば，ＢＳＳ０とＢＳＳ１は，実際に物理的距離が最も近く，他の条件が全て同一とした場合に，互いに電波の影響を最も受けやすいＢＳＳ同士であるため，隣接して定義されている。
【００３１】
本テーブルの特徴の１つは，既に説明したが，隣接するＢＳＳ同士の初期チャネル（変更順１）は近傍チャネルでないことである。図８を参照して，例えば，ＢＳＳ０とＢＳＳ１の変更順１（つまり初期チャネル）を見ると，それぞれ１００と１３６となっており，近傍チャネルとなっていない。他の隣接ＢＳＳ同士においても同様である。
【００３２】
もう１つの特徴は，あるＢＳＳにチャネル変更が生じても，少なくとも２回の変更では隣接ＢＳＳに対する近傍チャネルとならないようチャネル候補をあらかじめテーブルで定義していることである。一般には，レーダ波検出によるチャネル変更がそれほど頻繁に生じるものではないと推定される。ただ，チャネル変更が生じた際，即座に隣接ＢＳＳの近傍チャネルとなってしまっては，運用上に支障の出るおそれがあるため，本実施例では少なくとも２回としている。図９を参照して，ＢＳＳ０の変更順１のチャネルである１００にチャネル変更の必要が生じても，テーブルによれば次のチャネルは１２０であり，ＢＳＳ０に隣接するＢＳＳであるＢＳＳ１の変更順１（チャネル１３６）および２（チャネル１１２）の何れに対しても近傍チャネルとなっていない。ただし，変更を繰り返すと，この例の場合，ＢＳＳ１が初期チャネル（１００）から２回変更を繰り返すとチャネルが１４０となり，隣接ＢＳＳのチャネル１３６の近傍チャネルとなる。しかし，実際には近傍チャネルとなった場合であっても，同一チャネルでない限り通信が可能な場合が多く，本テーブルでは，同一チャネルとなる場合については，さらにチャネル変更ステップが必要となるよう定義している。先ほどの例で言えば，ＢＳＳ０の変更順３が隣接ＢＳＳのチャネル１３６と同一チャネルになるには，変更順５に達する必要があり，さらに２回チャネルの変更が必要となる。
【００３３】
このように本発明によれば，ＤＦＳ機能によるチャネル変更の際，予め定められたチャネル変更テーブルに基づいてチャネルを変更することにより，変更候補のチャネルを即座に決定することができる。さらに，初期チャネルおよび変更候補となるチャネルは，他のＢＳＳとの重複が直ぐには発生しないようテーブル上に定義されていることから，チャネル変更後に他のＢＳＳと干渉する危険性を少なくすることができるという効果も奏する。
【図面の簡単な説明】
【００３４】
【図１】無線ＬＡＮシステム概要
【図２】無線ＬＡＮシステムの全体図
【図３】アクセスポイントの機能ブロック図
【図４】フローチャート
【図５】ＢＳＳの初期チャネル
【図６】ＢＳＳを円周上に配置した図
【図７】チャネル変更テーブル
【図８】隣接ＢＳＳのチャネル（１）
【図９】隣接ＢＳＳのチャネル（２）
【符号の説明】
【００３５】
１０１  アクセスポイント
３０１  レーダ波検出手段
３０３  チャネル候補選択手段
【図１】
2011193101.tif 000003
【図２】
2011193101.tif 000004
【図３】
2011193101.tif 000005
【図４】
2011193101.tif 000006
【図５】
2011193101.tif 000007
【図６】
2011193101.tif 000008
【図７】
2011193101.tif 000009
【図８】
2011193101.tif 000010
【図９】
2011193101.tif 000011